(57)【要約】【課題】  薄型テレビ等の回動支持がスムーズに、かつ、安定して行なわれるようにする。【解決手段】  コイルバネ２０と、コイルバネ２０内に挿通される軸体１７と、コイルバネ２０の端部に軸体１７が挿通される状態において配置される第１の面体５と、軸体１７が挿通されるとともに第１の面体５の外面に相対する位置に固定配置される第２の面体１２と、第１の面体５の第２の面体１２に相対する側に固定配置される第１の滑り接触板２４と、第２の面体１２の第１の面体５に相対する側に第１の滑り接触板２４と接触するように固定配置される第２の滑り接触板２５とを備えてなることを特徴とする回動支持構造。【選択図】図１
2007218417.tif 000002
【特許請求の範囲】
【請求項１】
コイルバネと、
前記コイルバネ内に挿通される軸体と、
前記コイルバネの端部に前記軸体が挿通される状態において配置される第１の面体と、
前記軸体が挿通されるとともに前記第１の面体の外面に相対する位置に固定配置される第２の面体と、
前記第１の面体の前記第２の面体に相対する側に固定配置される第１の滑り接触板と、
前記第２の面体の前記第１の面体に相対する側に前記第１の滑り接触板と接触するように固定配置される第２の滑り接触板と、
を備えてなることを特徴とする回動支持構造。
【発明の詳細な説明】
【技術分野】
【０００１】  この発明は、薄型テレビや各種ディスプレイ等の回動支持部等に採用される回動支持構造に関する。
【背景技術】
【０００２】  薄型テレビとして、その画面が広い角度の範囲から見られるように回動支持される構成のものが提供されている。その回動支持部は通常皿バネを軸支持部分に用い、そのバネ力により弾力的に支持することで自由な角度での回動支持を可能としている。
【発明の開示】
【発明が解決しようとする課題】
【０００３】  しかしながら、上記のように皿バネを用いる構成では、徐々に皿バネの弾力が低下するに伴って所望の角度での安定支持が行なわれなくなる。支持力を強くするように強固に固定すると皿バネの弾力が働かず、スムーズな回動が行なわれなくなる。【０００４】  この発明では、薄型テレビ等の回動支持がスムーズに、かつ、安定して行なわれるようにすることを目的とする。
【課題を解決するための手段】
【０００５】  この発明では、コイルバネと、前記コイルバネ内に挿通される軸体と、前記コイルバネの端部に前記軸体が挿通される状態において配置される第１の面体と、前記軸体が挿通されるとともに前記第１の面体の外面に相対する位置に固定配置される第２の面体と、前記第１の面体の前記第２の面体に相対する側に固定配置される第１の滑り接触板と、前記第２の面体の前記第１の面体に相対する側に前記第１の滑り接触板と接触するように固定配置される第２の滑り接触板とを備えてなる回動支持構造を提供する。【０００６】  この発明の構成によれば、コイルバネのバネ力により第１の面体が第２の面体側に押し付けられる状態となり、これにより軸体を中心とする回転方向における適宜の位置においてそれぞれの面体が互いに支持される。この支持はバネ力の大きいコイルバネを用いることでより安定して行なわれる。その際、コイルバネのバネ力が大きくなると回転方向を変えるのに多大な力を要することとなるが、それぞれの面が滑り接触板それぞれを介して接触するように構成されていることで、スムーズに回転方向を変えることができる。このようして、大きな支持力を保つ中で回動支持がスムーズに行なわれることを可能としている。
【発明の効果】
【０００７】  この発明によれば、回動支持がスムーズに、かつ、安定して行なわれる薄型テレビ等の支持構造が提供されるようになる。
【発明を実施するための最良の形態】
【０００８】  図１はこの発明の回動支持構造の実施形態の外観を示す斜視図、図２はこの発明の回動支持構造を用いるテレビ装置の側面図である。１はテレビ１００の背面に取り付けられる金属製の取り付け板であり、その取り付け板１の背面に一対の取り付け片（第１の面体）５を備える第１の固定金具７が溶接、かしめ等により固着されている。１０は第２の固定金具で、一対の支持片（第２の面体）１２と底片１３とを一体に備え、その一対の支持片１２が上記第１の固定金具７の取り付け片５それぞれの外側に、底片１３がテレビ１００の支持柱１５上に位置するように配置される。【０００９】  １７は第１の支持ボルト（軸体）であり、図３の断面図にも示すように、第１の固定金具７の取り付け片５と第２の固定金具１０の支持片１２とをともに挿通するように取り付けられ、その中間部分にはコイルバネ２０が装着され、コイルバネ２０の両端は第１の固定金具７の取り付け片５それぞれの内面に接触配置される樹脂製の受け座２２内に納められている。第１の固定金具７の取り付け片５それぞれの外面と第２の固定金具１０の支持片１２それぞれの内面には、互いに相対して接触するように円形の樹脂製滑り接触板２４，２５それぞれが支持ボルト１７に挿通される状態に設けられている。【００１０】  上記樹脂製滑り接触板２４，２５の樹脂材料としては機械的強度が大きいとともに弾力性に富み、かつ、表面滑り性の良好なものが好ましく、例えば、フッ素樹脂やシリコン樹脂等を用いる。上記受け座２２も同様の樹脂材料を用いて形成することが好ましい。樹脂製滑り接触板２４，２５それぞれは、図４に示すように、その接触面に放射状に断面Ｖ型の係合溝２６，２８が設けられ、接触時にそれらが互いに係合、すなわち係合溝２６，２８とそれらの間の係合凸条とが係合するようになっている。それぞれの係合溝２６，２８は、図５に示すように、係合溝２６，２８と係合凸条とが完全に合致することがないようその広がり角度が異なって（ｘ＝１０度  ｙ＝２０度）設けられている。また、それぞれの樹脂製滑り接触板２４，２５の接触面と逆側の面のそれぞれには４個の嵌合穴３０が設けられ、それら嵌合穴３０に第１の固定金具７の取り付け片５と第２の固定金具１０の支持片１２とのそれぞれの面に設けられた嵌合突部３１が嵌められて樹脂製滑り接触板２４，２５の位置決め固定が行なわれている。【００１１】  上記構成において、ナット３２が支持ボルト１７端に装着されて強固に締められていくと、それに反発してコイルバネ２０のバネ力が受け座２２それぞれを介して取り付け片５それぞれを外方に押し、これにより樹脂製滑り接触板２４，２５それぞれの接触面が互いに弾力的に強固に接触する状態となる。このように樹脂製滑り接触板２４，２５それぞれが強固に接触され、さらに、係合溝２６，２８と係合凸条とが係合することでそこに大きな支持力が生じ、これにより取り付け片５側に取り付けられるテレビ１００は支持柱１５に対して上向き下向きの自由な回転角度において安定支持される。また、上記支持力を越える力をかけることで任意の回転角度にテレビ１００を向けることができる。この際、接触面それぞれの係合溝２６，２８と係合凸条とが完全に合致するこ��がない構成とされていることで、その回転操作がスムーズになされる。【００１２】  図６は支持柱１５上への第２の固定金具１０の固定構造を示す。円筒状の支持柱１５の上面には樹脂製キャップ３５が嵌入装着され、この樹脂製キャップ３５は支持柱１５の側面から差し入れられる固定ピン３６により固定され、その上面には上記樹脂製滑り接触板２４，２５と同様に係合溝が形成されている。【００１３】  ４０は第２の支持ボルトであり、第２の固定金具１０の底片１３と樹脂製キャップ３５をともに挿通するように取り付けられ、その中間部分には第２のコイルバネ４２が装着され、そのコイルバネ４２は相対配置される樹脂製の受け座４４内に納められている。４５は樹脂製滑り接触板でありその下面に係合溝を備え、上記樹脂製接触板２４，２５それぞれと同様に第２の固定金具１０の底片１３の底面に固定されている。樹脂製キャップ３５、樹脂製滑り接触板４５それぞれの係合溝は、上記樹脂製滑り接触板２４，２５それぞれにおける場合と同様に係合溝と係合凸条とが完全に合致することがないよう設計されている。上記樹脂製キャップ３５、樹脂製滑り接触板４５とも上記樹脂製滑り接触板２４，２５と同様の樹脂材料を用いて成形したものを用いる。【００１４】  上記構成において、支持ボルト１５の上端に装着されたナット４６が強固に締められていくと、それに反発してコイルバネ４２のバネ力が下方の受け座４４を介して底片１３を下方に押し、これにより樹脂製滑り接触板４５の下面と樹脂製キャップ３５の上面とが弾力的に強固に接触する状態とされる。このように接触面それぞれが強固に接触され、さらに、係合溝と係合凸条とが係合することでそこに大きな支持力が生じ、これにより底片１３側に取り付けられるテレビ１００は支持柱１５に対して水平方向の自由な回転角度において安定支持される。また、上記支持力を越える力をかけることで任意の回転角度にテレビ１００を向けることができる。この際も、接触面それぞれの係合溝と係合凸条とが完全に合致することがない構成とされていることで、その回転操作がスムーズになされる。
【図面の簡単な説明】
【図１】  この発明の回動支持構造の実施形態の外観斜視図
【図２】  この発明の回動支持構造を用いるテレビ装置の実施形態の側面図
【図３】  この発明の回動支持構造の実施形態の水平方向断面図
【図４】  この発明の回動支持構造に用いる部材の実施形態の正面図
【図５】  この発明の回動支持構造の実施形態の要部拡大断面図
【図６】  この発明の回動支持構造の実施形態の垂直方向断面図
【符号の説明】
５    取り付け片  （第１の面体）
１２  支持片      （第２の面体）
１７  第１の支持ボルト（軸体）
２２  コイルバネ
２４  第１の滑り接触版
２５  第２の滑り接触版
【図１】
2007218417.tif 000003
【図２】
2007218417.tif 000004
【図３】
2007218417.tif 000005
【図４】
2007218417.tif 000006
【図５】
2007218417.tif 000007
【図６】
2007218417.tif 000008